(57)【要約】【課題】大量の映像データを複数のフォルダごとに記録管理するシステムにおいて、記録したい条件に適合した特定のフォルダに映像データを自動で記録保存でき、ＤＶＤやＢＤ（ブルーレイディスク）等の特定の規格に従った他の機器でも記録再生が行える。【解決手段】ユーザ名及びパスワード入力を行う入力手段と、映像データ記録時にユーザが記録日時や放送チャンネルなどの記録条件を設定する記録条件設定手段と、ディスク上の各フォルダに設定されているフォルダ属性情報を取得する取得手段と、前記記録条件設定手段で設定した記録条件に適合するフォルダがない場合に新たにフォルダを作成する作成手段と、前記作成手段で作成したフォルダに、前記記録条件設定手段で設定した記録条件を含むフォルダ属性情報を設定する属性設定手段とを備える。【選択図】図１
2007080447.tif 000002
【特許請求の範囲】
【請求項１】
ユーザ名及びパスワード入力を行う入力手段と、映像データ記録時にユーザが記録日時や放送チャンネルなどの記録条件を設定する記録条件設定手段と、ディスク上の各フォルダに設定されているフォルダ属性情報を取得する取得手段と、前記記録条件設定手段で設定した記録条件に適合するフォルダがない場合に新たにフォルダを作成する作成手段と、前記作成手段で作成したフォルダに、前記記録条件設定手段で設定した記録条件を含むフォルダ属性情報を設定する属性設定手段とを備えることを特徴とする情報記録再生装置。
【請求項２】
ユーザが指定したフォルダを特定の規格で既定されているフォルダ名に変更する変更手段をさらに備える請求項１に記載の情報記録再生装置
【請求項３】
前記取得手段において取得したフォルダ属性情報のうちの記録条件に応じて予約録画の設定を行う予約録画設定手段と、予約録画の設定に応じて予約録画の開始や終了を制御する予約録画制御手段をさらに備えることを特徴とする請求項１または請求項２に記載の情報記録再生装置。
【請求項４】
記録条件として番組のジャンルや登場人物などが設定されている場合には電子番組情報から記録条件に適合する番組を自動的に抽出し前記予約録画制御手段に対して予約録画設定を行うことを特徴とする請求項３に記載の情報記録再生装置。
【請求項５】
前記属性設定手段は、フォルダ内に記録可能な容量を設定すると共に、映像データを記録する際に、フォルダ内での記録可能残容量がなくなれば自動的に記録を停止することを特徴とする請求項１から請求項４のいずれかの請求項に記載の情報記録再生装置。
【請求項６】
ユーザ名及びパスワード入力を行う第１ステップと、映像データ記録時にユーザが記録日時や放送チャンネルなどの記録条件を設定する第2ステップと、ディスク上の各フォルダに設定されているフォルダ属性情報を取得する第３ステップと、前記第２ステップで設定した記録条件に適合するフォルダが存在しない場合に新たにフォルダを作成する第４ステップと、前記第4ステップで作成したフォルダに、前記第２ステップで設定した記録条件を含むフォルダ属性情報を設定する第５ステップを含むことを特徴とする情報記録再生方法。
【請求項７】
映像データ再生時にユーザが指定したフォルダを特定の規格で既定されているフォルダ名に変更する第６ステップをさらに含むことを特徴とする請求項６に記載の情報記録再生方法。
【請求項８】
前記第３ステップにおいて取得したフォルダ属性情報のうちの記録条件に応じて予約録画の設定を行う第７ステップと、予約録画の設定に応じて予約録画の開始や終了を制御する第８ステップをさらに含むことを特徴とする請求項６または請求項７に記載の情報記録再生方法。
【請求項９】
記録条件として番組のジャンルや登場人物などが設定されている場合には電子番組情報から記録条件に適合する番組を自動的に抽出し前記第７ステップに対して予約録画設定を行うことを特徴とする請求項８に記載の情報記録再生方法。
【請求項１０】
前記第５ステップは、フォルダ内に記録可能な容量を設定すると共に、映像データを記録する際に、フォルダ内での記録可能残容量がなくなれば自動的に記録を停止することを特徴とする請求項６から請求項９のいずれかの請求項に記載の情報記録再生方法。
【請求項１１】
ユーザ名及びパスワード入力を行う第１ステップと、映像データ記録時にユーザが記録日時や放送チャンネルなどの記録条件を設定する第2ステップと、ディスク上の各フォルダに設定されているフォルダ属性情報を取得する第３ステップと、前記第２ステップで設定した記録条件に適合するフォルダが存在しない場合に新たにフォルダを作成する第４ステップと、前記第4ステップで作成したフォルダの、前記第２ステップで設定した記録条件を含むフォルダ属性情報を設定する第５ステップを含むプログラム。
【請求項１２】
請求項１１に記載のプログラムを記録した媒体。
【発明の詳細な説明】
【技術分野】
【０００１】
本発明は、ハードディスクあるいは光ディスクなどの大容量記録メディアに記録された複数のフォルダを管理し、ディスクに記録された映像データなどのファイルがフォルダごとに容易に分類でき、さらに必要に応じてこれらのフォルダ名を変更することで特定の規格に対応した他の再生機器でも記録や再生などの操作が可能な情報記録再生装置及び方法に関するものである。
【背景技術】
【０００２】
近年、情報記録媒体としてＤＶＤやＢＤ（ブルーレイディスク）等の光ディスクあるいはハードディスクを用いて、リアルタイムで映像データを記録再生する情報記録再生装置が普及している。これらが扱う情報記録媒体の大容量化に伴い、１枚のディスクで多くの映像データを保存できるようになっている。しかし、まだＢＤ等の次世代大容量の光ディスクは価格が高価ということもあり、たとえば１枚のディスクを複数の人が共有して使用する場合がある。またハードディスクなども大容量化が進んでいるが、一台のＰＣを家族で共有して使用する場合があるため、やはりこうしたハードディスクも複数の人が共有して使用することが多い。
【０００３】
このように複数の人で１つのディスクを共有して使用する場合は、各人のファイルはフォルダごとに分けて保存するのが一般的である。ただし、より細かい条件（記録日時や放送局や番組のジャンルなど）で分類するにはユーザが行うか、あるいは何らかの条件を設けてフォルダを自動で分類する必要がある（例えば特許文献１参照。）。この技術は、フォルダを記録時の日付／時刻に対応させて、ある一定時間ごとにフォルダを区切って作成してファイルを保存することを可能とするものである。
【０００４】
また、ＤＶＤ−ＲＡＭやＤＶＤ−ＲＷなどの光ディスクに映像データを記録保存する場合に主に使われるビデオレコーディング規格（例えば、非特許文献１参照）では、規格に従った使用可能なフォルダ名は“ＤＶＤ＿ＲＴＡＶ”といったフォルダ名のみしか許されていない。一方次世代の光ディスクであるＢＤなどに映像データを記録保存する場合に主に使われるＢＤ−ＲＥ規格（例えば、非特許文献２参照）では、規格に従った使用可能なフォルダ名は“ＢＤＡＶ”、“ＢＤＡＶ１”、“ＢＤＡＶ２”、“ＢＤＡＶ３”、“ＢＤＡＶ４”と複数許されてはいるが５つまでという制限がある。
【０００５】
しかしながら上記従来の技術では、日付と時間の対応から記録するフォルダを自動で選択あるいは作成することは可能であるが、ＴＶ放送等の毎週定期的に記録したい番組ごとにフォルダを自動で分類することはできない。また記録したいフォルダの中のファイルが例えばＤＶＤやＢＤの規格で定義されたファイルであった場合、フォルダ名がそれらの規格と互換のないフォルダ名となってしまっているので互換性はなく、そのメディアを他の機器で記録や再生をすることはできない。
【特許文献１】特開２０００−２０７８７２号公報
【非特許文献１】ＤＶＤ  Ｓｐｅｃｉｆｉｃａｔｉｏｎｓ  ｆｏｒ  Ｒｅｗｒｉｔａｂｌｅ／Ｒｅ−Ｒｅｃｏｒｄａｂｌｅ  Ｄｉｓｃｓ    Ｐａｒｔ３  ＶＩＤＥＯ  ＲＥＣＯＲＤＩＮＧ
【非特許文献２】Ｂｌｕ−ｒａｙ  Ｄｉｓｃ  Ｓｙｓｔｅｍ  Ｄｅｓｃｒｉｐｔｉｏｎ  Ｂｌｕ−ｒａｙ  Ｄｉｓｃ  Ｓｙｓｔｅｍ  Ｄｅｓｃｒｉｐｔｉｏｎ  Ｂｌｕ−ｒａｙ  Ｄｉｓｃ  Ｒｅｗｒｉｔａｂｌｅ  Ｆｏｒｍａｔ    Ｐａｒｔ３  Ａｕｄｉｏ  Ｖｉｓｕａｌ  Ｂａｓｉｃ  Ｓｐｅｃｉｆｉｃａｔｉｏｎｓ
【発明の開示】
【発明が解決しようとする課題】
【０００６】
大量の映像データをフォルダごとに記録管理するシステムにおいて、本発明が解決しようとする課題は、記録したい条件に適合した特定のフォルダに映像データを自動で記録保存できる点と、ＤＶＤやＢＤ等の特定の規格に従った他の機器でも記録再生が可能とする点である。
【課題を解決するための手段】
【０００７】
本発明は、大量の映像データを複数のフォルダごとに記録管理するシステムにおいて、ユーザ名及びパスワード入力を行う入力手段と、映像データ記録時にユーザが記録日時や放送チャンネルなどの記録条件を設定する記録条件設定手段と、ディスク上の各フォルダに設定されているフォルダ属性情報を取得する取得手段と、前記記録条件設定手段で設定した記録条件に適合するフォルダがない場合に新たにフォルダを作成する作成手段と、前記作成手段で作成したフォルダに、前記記録条件設定手段で設定した記録条件を含むフォルダ属性情報を設定する属性設定手段と、必要に応じて規格に応じたフォルダ名に変更するフォルダ名変更手段を最も主要な特徴とする。
【発明の効果】
【０００８】
本発明の情報記録再生装置及び方法は、フォルダ属性情報に応じて映像データがフォルダごとに分類して記録可能であり、必要に応じてフォルダ名をＤＶＤやＢＤ等の規格に従った名称に変更して他の機器との互換性を保つことができるという利点がある。
【発明を実施するための最良の形態】
【０００９】
以下、本発明の実施形態について添付の図面を参照して説明する。なお、各図面において同一の符号は同一の構成要素または同様の作用、動作をなすものを表す。
【００１０】
（実施の形態１）
図１は、本発明装置の実施の形態１の情報記録再生装置及び方法の構成を示すブロック図である。
【００１１】
図１において、この  情報記録再生装置及び方法は  フォルダ管理手段１１、フォルダ属性取得手段１２、ユーザ名、パスワード入力手段１３、再生可能フォルダ提示手段１４、フォルダ作成手段１５、記録条件設定手段４１、フォルダ属性設定手段１６、フォルダ名変更手段１７、対象フォルダ指定手段１８、記録手段１９、及び、再生手段２０を備える。
【００１２】
情報記録再生装置及び方法の各構成部材について説明する。まず、フォルダ管理手段１１では、ディスク上のフォルダの各種情報の設定や管理を行い、フォルダ属性取得手段１２では、ディスク上の各フォルダに設定されているフォルダ属性情報１０１を取得し、ユーザ名、パスワード入力手段１３では、ユーザからの操作でユーザ名及びパスワード１０２の入力を行い、再生可能フォルダ提示手段１４では、入力したユーザ名とパスワードに応じてユーザが選択することができる再生可能フォルダリスト１０３を提示し、１０４はユーザが選択したユーザ選択フォルダ名であり、フォルダ作成手段１５では、記録時にユーザが設定した記録条件に適合するフォルダがない場合に新たなフォルダ（新規フォルダ名１０５）を作成し、記録条件設定手段４１では、ユーザがフォルダに対する記録日時や放送チャンネルなどの記録条件設定情報４０１を設定し、フォルダ属性設定手段１６では、そのフォルダのフォルダ属性情報１０６を設定し、フォルダ名変更手段１７では、元フォルダ名及び変更フォルダ名１０７を入力として既存のフォルダのフォルダ名を指定したフォルダ名に変更し、対象フォルダ指定手段１８では、対象フォルダリスト１０８を元に記録または再生を行うときに対象とするフォルダを指定し、必要に応じてフォルダ名を変更するためのフォルダ名変更指示情報１０９を発行し、記録手段１９では、記録対象フォルダ指定１１０で指定されたフォルダに対して映像入力信号を変換した映像データを記録データ１１１として記録し、再生手段２０では、再生対象フォルダ指定１１２で指定されたフォルダから再生データ１１３を読み込んで映像出力信号に変換する。
【００１３】
次に、本実施の形態１の情報記録再生装置及び方法の動作を図１および図２（ａ）（ｂ）を参照しながら動作の説明を行う。図２（ａ）は再生時の動作フロー図であり、図２（ｂ）は記録時の動作フロー図である。
【００１４】
再生時の動作
（１）ディスクドライブにディスクが挿入される。（Ｓ２０１）
（２）フォルダ属性取得手段１２において、ディスクの全フォルダのフォルダ属性情報を読み込み、フォルダ管理手段１１で管理する。（Ｓ２０２）
（３）ユーザ名、パスワード入力手段１３において、ユーザが必要に応じてユーザ名とパスワードの入力を行う。（Ｓ２０３）
（４）フォルダ管理手段１１で入力されたユーザ名とパスワードからアクセス可能なフォルダを選出し、選択可能なフォルダがあれば、再生可能フォルダ提示手段１４において、ユーザにその再生可能なフォルダを提示し、選択可能なフォルダがなければＳ２１０へ移動する。（Ｓ２０４）
（５）再生可能フォルダ提示手段１４にて提示したフォルダから、再生したいフォルダをユーザが選択し、フォルダ管理手段１１に通知する。（Ｓ２０５）
（６）対象フォルダ指定手段１８において、ユーザが選択したフォルダのフォルダ名が、規格上再生可能なフォルダ名であればＳ２０９へ移動し、規格上再生可能なフォルダ名でない場合はＳ２０７へ移動する。（Ｓ２０６）
（７）フォルダ名変更手段１７において、現時点での規格上再生可能なフォルダ名を別の再生対象外のフォルダ名に変更する。（Ｓ２０７）
（８）引き続きフォルダ名変更手段１７において、再生対象に指定されたフォルダのフォルダ名を規格上再生可能なフォルダ名に変更する。（Ｓ２０８）
（９）ユーザ操作により、選択中のフォルダの記録条件などのフォルダ属性情報を変更するかどうかをチェックし、変更する場合はＳ２１０へ移動する。（Ｓ２０９）
（１０）記録条件設定手段４１において、記録日時や曜日、開始時間、終了時間、チャンネルなどの記録条件をフォルダ属性情報として設定する。（Ｓ２１０）
（１１）再生手段２０において、再生対象フォルダ内の映像データの再生を行う。（Ｓ２１１）
（１２）引き続き別のフォルダを選択したい場合はＳ２０３へ移動し、そうでない場合はシステムを終了する。（Ｓ２１２）
記録時の動作
（１）ディスクドライブにディスクが挿入されているかをチェックし、挿入されていなければＳ２２２へ移動し、挿入されていればＳ２２３へ移動する。（Ｓ２２１）
（２）ディスクがない旨の通知をして記録処理を終了する。（Ｓ２２２）
（３）フォルダ管理手段１１において、ディスク内のフォルダ中に現状の記録条件に適合するフォルダがあればＳ２２６へ移動し、現状の記録条件に適合するフォルダがなければＳ２２４へ移動する。（Ｓ２２３）
（４）フォルダ作成手段１５において、記録するためのフォルダを新たに作成する。（Ｓ２２４）
（５）記録条件設定手段４１においてユーザが設定した記録日時や放送チャンネルなどの記録条件を含むフォルダ属性情報を、フォルダ属性設定手段１６において、新たに作成したフォルダのフォルダ属性情報として設定する。（Ｓ２２５）
（６）対象フォルダ指定手段１８において、現状あるフォルダから記録対象フォルダを指定する。（Ｓ２２６）
（７）記録手段１９において、指定されたフォルダに対して映像データの記録の一連の処理を行う。（Ｓ２２７、Ｓ２２８、Ｓ２２９）
図３に、本発明装置の情報記録再生装置及び方法で使用するフォルダ属性情報の一例を示す。フォルダ属性情報には、フォルダの所有者情報や、記録時の条件となる記録条件情報や、フォルダ内で記録可能な容量を制限する容量情報や、その他の情報で構成されている。これらの情報は、各フォルダ内の特定のファイルで構成してもかまわないし、ＶＲやＢＤ規格に従ったフォルダの場合はそれらが規定している管理情報ファイルの一部の情報を共有して使ったりしてもかまわない。
【００１５】
なお、個々のフォルダにフォルダ属性情報のためのファイルを置くのではなく、ディスクのルートのひとつのファイルですべてのフォルダとフォルダ属性情報を記録するようにしても同様のことが可能である。
【００１６】
なお、フォルダ属性情報として図に示したこれらすべてが必要というわけではなく、これらの一部のみでフォルダ属性情報として構成してもかまわないし、これら以外の情報が含まれていてもかまわない。
【００１７】
以上のように実施の形態１によれば、フォルダ属性情報に応じて映像データがフォルダごとに分類して記録可能であり、ユーザ名とパスワードを設定しておくことで他の人にフォルダの中の映像を見られたり変更されたりすることなく、複数の人と同じディスクを共有して使用することが可能である。
【００１８】
また、必要に応じてフォルダ名をＤＶＤやＢＤ等の規格に従った名称に変更してその規格に対応した他の機器との互換性を保つことが可能である。
【００１９】
（実施の形態２）
図４は、本発明装置の実施の形態２の情報記録再生装置及び方法の構成を示すブロック図である。
【００２０】
図４において、４０２はフォルダ属性情報中の一部でそのフォルダへ記録するときの条件となる記録条件情報であり、４２は記録条件情報４０２に従って必要に応じて予約録画の設定を行う予約録画設定手段であり、４３は予約録画設定手段４２で設定された予約録画設定情報４０３に従って録画予定時刻になったら録画の制御を自動で行う予約録画制御手段であり、４０４は録画指示情報である。それ以外の符号で図１と同じ符号を有するものは同じ機能を有するので詳細な説明は省略する。
【００２１】
次に、以上のように構成された実施の形態２の情報記録再生装置及び方法の動作を図４および図５を参照しながら動作の説明を行う。図５は再生時の動作フロー図であり、記録時の動作フロー図は図２（ｂ）と同一なので省略する。
（１）開始からＳ２０２までの動作は図２（ａ）と同一なので省略する。
（２）フォルダ管理手段１１において、フォルダ属性情報として記録条件が設定されているフォルダがあるかどうかをチェックし、予約録画設定すべきフォルダがあればＳ５０２へ移動する。（Ｓ５０１）
（３）予約録画設定手段４２において、予約録画の設定を行う。（Ｓ５０２）
（４）Ｓ２０３からＳ２１２までの動作は図２（ａ）と同一なので省略する。
【００２２】
以上のように実施の形態２によれば、フォルダに設定されたフォルダ属性情報の記録条件に従って自動的に予約録画の設定が可能であり、同一曜日の同一時間帯に放送される連続ドラマなどの番組の映像データの分類を自動で行うことが可能である。
【００２３】
（実施の形態３）
図６は、本発明装置の実施の形態３の情報記録再生装置及び方法の構成を示すブロック図である。
【００２４】
図６において、６１は放送電波やインターネット上から電子番組情報を取得する電子番組情報取得手段であり、６０１は電子番組情報である。それ以外の符号で図４と同じ符号を有するものは同じ機能を有するので詳細な説明は省略する。
【００２５】
次に、以上のように構成された実施の形態３の情報記録再生装置及び方法の動作について図６を用いて説明する。
【００２６】
記録条件設定手段４１においてはユーザがフォルダに対する記録条件として記録日時ではなくジャンルや登場人物などの情報などを設定し、電子番組情報取得手段６１において放送波やインターネット上から電子番組情報を取得して電子番組情報６０１を出力し、予約録画設定手段４２においてはジャンルや登場人物などの情報から電子番組情報６０１と適合する番組を選択して予約録画設定する。その他は実施の形態２に記載の各処理と同じ手順であるので詳細な説明は省略する。
【００２７】
以上のように実施の形態３によれば、フォルダに設定されたフォルダ属性情報の記録条件に従って同一ジャンルや同一の登場人物の放送番組などの映像データの分類を自動で行うことが可能である。
【００２８】
（実施の形態４）
図７は、本発明装置の実施の形態４の情報記録再生装置及び方法の構成を示すブロック図である。
【００２９】
図７において、８１はユーザがフォルダに対する記録可能容量などの条件を設定する記録容量設定手段であり、８０１はフォルダ属性情報のひとつの情報として設定するフォルダ記録可能容量であり、８０２はユーザが選択したフォルダのフォルダ記録可能容量及び記録済み容量であり、８２はフォルダ記録可能容量及び記録済み容量から後どれだけ記録が許されるかを算出する記録可能残容量設定手段であり、８０３は記録可能残容量である。それ以外の符号で図１と同じ符号を有するものは同じ機能を有するので詳細な説明は省略する。
【００３０】
次に、以上のように構成された実施の形態４の情報記録再生装置及び方法の動作を図７  および図８を参照しながら動作の説明を行う。図８は記録時の動作フロー図であり、再生時の動作フロー図は図２（ａ）と同一なので省略する。
（１）開始からＳ２２６までの動作は図２（ｂ）と同一なので省略する。
（２）記録可能残容量設定手段８２において、記録指定したフォルダのフォルダ属性情報としてのフォルダ記録可能容量を元にして、後どれだけ記録可能かどうかを算出して、そのフォルダ内での最大記録可能容量として設定する。（Ｓ９０１）
（３）記録手段１９において、指定されたフォルダに対して映像データの記録開始。（Ｓ２２７）
（４）記録処理中に先に設定された最大記録可能容量を超えるかどうかのチェックを行い、記録可能容量が足りない場合はＳ９０３へ移動する。（Ｓ９０２）
（５）記録手段１９において、記録を中断する。（Ｓ９０３）
（６）記録を停止する。（Ｓ２２９）
以上のように実施の形態４によれば、複数の人が同じディスクを共有して使っていてもフォルダ属性情報としてフォルダ内に記録可能な容量を設定しておくことで、記録可能なディスク容量を他の人に使い切られることなく、自分のフォルダに記録可能な容量をあらかじめ確保しておくことが可能である。
【００３１】
なお、本発明はコンピュータプログラムとして実現してもよい。また、電気通信回線または記録媒体等を介してそのプログラムを配布し、コンピュータを用いて本発明を実施することもできる。
【００３２】
上述の通り、本発明は好ましい実施形態により詳細に説明されるが、本発明はこれらに限定されるものではなく、特許請求の半家に記載された本発明の技術的範囲内において好ましい変形例及び修正例が可能であることは当業者にとって自明なことであろう。
【産業上の利用可能性】
【００３３】
本発明にかかる情報記録再生装置及び方法は、ディスク上の複数のフォルダを管理するシステムにおいて、ディスク上のフォルダの各種情報の設定や管理を行うフォルダ管理手段と、ディスク上の各フォルダに設定されているフォルダ属性情報を取得するフォルダ属性取得手段と、ユーザからの操作でユーザ名及びパスワード入力を行うユーザ名、パスワード入力手段と、入力したユーザ名とパスワードに応じてユーザが選択することができるフォルダ名を提示する再生可能フォルダ提示手段と、記録時にユーザが設定した記録条件に適合するフォルダがない場合に新たにフォルダを作成するフォルダ作成手段と、そのフォルダのフォルダ属性情報を設定するフォルダ属性設定手段と、既存のフォルダのフォルダ名を指定したフォルダ名に変更するフォルダ名変更手段と、記録または再生を行うときに対象とするフォルダを指定する対象フォルダ指定手段と、指定されたフォルダに対して映像入力信号を変換した映像データを記録する記録手段と、指定されたフォルダから映像データを読み込んで映像出力信号に変換する再生手段によって、フォルダ属性情報に応じて映像データがフォルダごとに分類して記録可能であり、必要に応じてフォルダ名をＤＶＤやＢＤ等の規格に従った名称（例えば、“ＤＶＤ＿ＲＴＡＶ”や“ＢＤＡＶ”など）に変更して他の機器との互換性を保つことが必要な用途にも適用できる。
【図面の簡単な説明】
【００３４】
【図１】本発明の実施の形態１に於ける情報記録再生装置及び方法の例を示すブロック図
【図２】本発明の実施の形態１に於ける情報記録再生装置及び方法の処理の流れを示すフロー図
【図３】本発明の情報記録再生装置及び方法で用いるフォルダ属性の例を示すブロック図
【図４】本発明の実施の形態２に於ける情報記録再生装置及び方法の例を示すブロック図
【図５】本発明の実施の形態２に於ける情報記録再生装置及び方法の処理の流れを示すフロー図
【図６】本発明の実施の形態３に於ける情報記録再生装置及び方法の例を示すブロック図
【図７】本発明の実施の形態４に於ける情報記録再生装置及び方法の例を示すブロック図
【図８】本発明の実施の形態４に於ける情報記録再生装置及び方法の処理の流れを示すフロー図
【符号の説明】
【００３５】
１１    フォルダ管理手段
１２    フォルダ属性取得手段
１３    ユーザ名、パスワード入力手段
１４    再生可能フォルダ提示手段
１５    フォルダ作成手段
１６    フォルダ属性設定手段
１７    フォルダ名変更手段
１８    対象フォルダ指定手段
１９    記録手段
２０    再生手段
４１    記録条件設定手段
４２    予約録画設定手段
４３    予約録画制御手段
６１    電子番組情報取得手段
８１    記録容量設定手段
８２    記録可能残容量設定手段
１０１    フォルダ属性情報
１０２    ユーザ名及びパスワード
１０３    再生可能フォルダリスト
１０４    ユーザ選択フォルダ名
１０５    新規フォルダ名
１０６    フォルダ属性情報
１０７    元フォルダ名及び変更フォルダ名
１０８    対象フォルダリスト
１０９    フォルダ名変更指示情報
１１０    記録対象フォルダ指定
１１１    記録データ
１１２    再生対象フォルダ指定
１１３    再生データ
４０１    記録条件設定情報
４０２    記録条件情報
４０３    予約録画設定情報
４０４    録画指示情報
６０１    電子番組情報
８０１    フォルダ記録可能容量
８０２    フォルダ記録可能容量及び記録済み容量
８０３    記録可能残容量
【図１】
2007080447.tif 000003
【図２】
2007080447.tif 000004
【図３】
2007080447.tif 000005
【図４】
2007080447.tif 000006
【図５】
2007080447.tif 000007
【図６】
2007080447.tif 000008
【図７】
2007080447.tif 000009
【図８】
2007080447.tif 000010